(57)【要約】【課題】施設内にいる人物を撮影して施設内の安全を監視する施設監視システムに適用したときに、使い勝手の良いシステムを提供する。【解決手段】施設内に設置されたＩＣタグ受信機１０２の上を園児が通過すると、ＩＣタグ受信機１０２により、園児が所持するＩＣタグ１０１からタグ情報を読み込み、位置特定部１０５ａにおいて園児の位置を特定する。こうして特定された園児の位置に基づいて、撮影制御部１０５ｂにより、園児が同じ位置に留まっている時間を算出し、その滞留時間が所定の撮影開始時間を超えている場合は、その園児をカメラ１０３で撮影して撮影画像を記録装置１０８に記録する。【選択図】図１
2008040738.tif 000002
【特許請求の範囲】
【請求項１】
施設内にいる人物を撮影して施設内の安全を監視する施設監視システムにおいて、
前記施設内に設置されるカメラと、
前記カメラにより撮影された前記施設内の各人物の撮影画像を記録する記録手段と、
前記施設内にいる各人物がそれぞれ同じ位置に留まっている時間（滞留時間）を算出する滞留時間算出手段と、
前記滞留時間算出手段により算出された各人物の滞留時間に基づいて、前記施設内にいる人物のいずれかを警告対象に設定する警告対象設定手段と、
前記警告対象設定手段により警告対象に設定された人物について、前記記録手段に記録された当該人物の撮影画像を表示して警告を行う警告手段とを備えることを特徴とする施設監視システム。
【請求項２】
請求項１の施設監視システムにおいて、
前記施設内における各人物の所在位置を特定する位置特定手段をさらに備え、
前記滞留時間算出手段は、前記位置特定手段により特定された各人物の所在位置に基づいて、各人物の滞留時間を算出することを特徴とする施設監視システム。
【請求項３】
請求項２の施設監視システムにおいて、
前記施設内にいる各人物によってそれぞれ所持され、各々が固有の識別情報を送信する複数の送信手段と、
前記施設内にそれぞれ設置され、前記送信手段から送信される識別情報を受信する複数の受信手段とをさらに備え、
前記位置特定手段は、前記受信手段により受信された識別情報と、その識別情報を受信した受信手段の設置位置とに基づいて、前記施設内における各人物の所在位置を特定することを特徴とする施設監視システム。
【請求項４】
請求項１〜３いずれか一項の施設監視システムにおいて、
前記滞留時間に対して所定のしきい値を設定するしきい値設定手段をさらに備え、
前記警告対象設定手段は、いずれかの人物について前記滞留時間算出手段により算出された滞留時間が前記しきい値設定手段により設定されたしきい値を超えたときに、その人物を警告対象に設定することを特徴とする施設監視システム。
【請求項５】
請求項４の施設監視システムにおいて、
前記しきい値設定手段は、前記施設内で各人物が留まっている位置ごとに前記しきい値を異なる値で設定することを特徴とする施設監視システム。
【請求項６】
請求項１〜５いずれか一項の施設監視システムにおいて、
前記警告対象に設定された人物について前記警告手段により警告が行われた場合、その人物の撮影画像を添付した電子メールを、当該人物と対応付けて予め登録されたメールアドレスに送信するメール送信手段をさらに備えることを特徴とする施設監視システム。
【請求項７】
請求項６の施設監視システムにおいて、
前記メール送信手段は、前記警告が所定時間以上解除されない場合にのみ、前記電子メールを送信することを特徴とする施設監視システム。
【発明の詳細な説明】
【技術分野】
【０００１】
本発明は、カメラにより撮影した画像を用いて施設内を監視するシステムに関する。
【背景技術】
【０００２】
被写体を検出して撮影を行うシステムが従来より知られている。たとえば特許文献１に開示される自動撮影システムでは、ユーザに関する情報を格納した無線タグを各ユーザに配布しておき、各撮影スポットに設置された撮影ユニットは、ユーザが所持する無線タグを検出した場合には、ユーザの画像を撮影する。
【０００３】
【特許文献１】特開２００５−９９４３９号公報
【発明の開示】
【発明が解決しようとする課題】
【０００４】
特許文献１に開示されるような従来の自動撮影システムは、テーマパークや遊園地等の娯楽施設内の撮影スポットにおいて来場者の記念写真を自動撮影する際に用いられるものである。そのため、施設内にいる人物を撮影して施設内の安全を監視する施設監視システムに適用したときに、そのままでは使い勝手の良いシステムを提供することができない。
【課題を解決するための手段】
【０００５】
請求項１の発明は、施設内にいる人物を撮影して施設内の安全を監視する施設監視システムにおいて、施設内に設置されるカメラと、カメラにより撮影された施設内の各人物の撮影画像を記録する記録手段と、施設内にいる各人物がそれぞれ同じ位置に留まっている時間（滞留時間）を算出する滞留時間算出手段と、滞留時間算出手段により算出された各人物の滞留時間に基づいて、施設内にいる人物のいずれかを警告対象に設定する警告対象設定手段と、警告対象設定手段により警告対象に設定された人物について、記録手段に記録された当該人物の撮影画像を表示して警告を行う警告手段とを備えるものである。
請求項２の発明は、請求項１の施設監視システムにおいて、施設内における各人物の所在位置を特定する位置特定手段をさらに備え、滞留時間算出手段は、位置特定手段により特定された各人物の所在位置に基づいて、各人物の滞留時間を算出するものである。
請求項３の発明は、請求項２の施設監視システムにおいて、施設内にいる各人物によってそれぞれ所持され、各々が固有の識別情報を送信する複数の送信手段と、施設内にそれぞれ設置され、送信手段から送信される識別情報を受信する複数の受信手段とをさらに備え、位置特定手段は、受信手段により受信された識別情報と、その識別情報を受信した受信手段の設置位置とに基づいて、施設内における各人物の所在位置を特定するものである。
請求項４の発明は、請求項１〜３いずれか一項の施設監視システムにおいて、滞留時間に対して所定のしきい値を設定するしきい値設定手段をさらに備え、警告対象設定手段は、いずれかの人物について滞留時間算出手段により算出された滞留時間がしきい値設定手段により設定されたしきい値を超えたときに、その人物を警告対象に設定するものである。
請求項５の発明は、請求項４の施設監視システムにおいて、しきい値設定手段は、施設内で各人物が留まっている位置ごとにしきい値を異なる値で設定するものである。
請求項６の発明は、請求項１〜５いずれか一項の施設監視システムにおいて、警告対象に設定された人物について警告手段により警告が行われた場合、その人物の撮影画像を添付した電子メールを、当該人物と対応付けて予め登録されたメールアドレスに送信するメール送信手段をさらに備えるものである。
請求項７の発明は、請求項６の施設監視システムにおいて、メール送信手段は、警告が所定時間以上解除されない場合にのみ、電子メールを送信するものである。
【発明の効果】
【０００６】
本発明によれば、施設内にいる人物を撮影して施設内の安全を監視する施設監視システムに適用したときに、使い勝手の良いシステムを提供することができる。
【発明を実施するための最良の形態】
【０００７】
図１は、本発明の一実施形態による施設監視システムの構成を示すブロック図である。この施設監視システムは、幼稚園や保育園などの託児施設において施設内の安全を監視するために用いられる。この施設監視システムでは、施設内にいる園児達を自動的に撮影して撮影画像を記録し、各園児の保護者（両親など）がその撮影画像を自宅から見られるようにすることで、施設に預けている間でも保護者が自分の子供を見守ることができるようにする。また、施設内の同じ場所に長時間留まっている園児がいる場合には、施設の管理者（園長）や保育士（先生）に対して、その園児に危険や異常が起きていないかを確認するよう警告を行う。このようにして、施設内にいる園児の安全を監視する。
【０００８】
図１の施設監視システム１００は、ＩＣタグ１０１と、ＩＣタグ受信機１０２と、カメラ１０３と、ビデオカメラ１０４と、制御装置１０５と、モニタ１０６と、監視用携帯端末１０７と、記録装置１０８とで構成される。制御装置１０５には、インターネットや固定電話回線設備、携帯電話回線設備などによって構成される公衆回線網２００を介して、保護者の自宅などに設置されたパーソナルコンピュータ３００と、保護者の所有する携帯電話４００とが接続されている。
【０００９】
ＩＣタグ１０１は、園児達が各自１つずつ所持している。例えば、名札、帽子、靴、園児服、体操服などにＩＣタグ１０１を装着しておき、これらのものを身に着けることによって園児達にＩＣタグ１０１を所持させる。すなわち、図１ではＩＣタグ１０１を代表して１つのブロックで表しているが、実際には園児の数に応じた複数のＩＣタグ１０１が施設監視システム１００に含まれる。
【００１０】
ＩＣタグ１０１には、ＩＣタグ１０１の各々を一意に識別するための固有のタグ番号がそれぞれ付与されており、このタグ番号でＩＣタグ１０１を所持している園児を特定できるようになっている。具体的には、園児達がそれぞれ所持している複数のＩＣタグ１０１のタグ番号と、その各々を所持している園児とを対応付けたタグ管理情報が後述するように記録装置１０８に予め記録されている。そして、制御装置１０５は、ＩＣタグ受信機１０２で読み取ったＩＣタグ１０１のタグ番号に基づいて、そのＩＣタグ１０１を所持している園児を特定する。なお、各ＩＣタグ１０１のタグ番号はタグ情報の一部としてＩＣタグ受信機１０２に送信される。すなわち各ＩＣタグ１０１は、各々に固有の識別情報としてタグ情報を送信する。
【００１１】
ＩＣタグ受信機１０２は、施設監視システム１００が用いられる施設内に所定間隔ごとに設置される。具体的には、園庭の地中、園舎の床下などにＩＣタグ受信機１０２が設置される。このＩＣタグ受信機１０２は、所定の間隔を空けて（例えば、地中には２ｍおき、床下には１ｍおきに）碁盤の目状に埋め込まれて設置される。すなわち、このＩＣタグ受信機１０２も図１では代表して１つのブロックで表しているが、実際には複数のＩＣタグ受信機１０２が施設監視システム１００に含まれている。また、各ＩＣタグ受信機１０２には、それぞれのＩＣタグ受信機１０２を一意に識別するための受信機番号が付加されている。そして、各ＩＣタグ受信機１０２の設置位置と受信機番号とを対応付けた受信機管理情報が記録装置１０８に記録されている。
【００１２】
上記のように施設内に所定間隔ごとに設置されたＩＣタグ受信機１０２のいずれかの上を園児が通過すると、そのＩＣタグ受信機１０２は、通過した園児が所持しているＩＣタグ１０１から無線通信によりタグ情報を読み込んで、そのタグ情報と自身の受信機番号とを制御装置１０５へ出力する。制御装置１０５では、後述するように、タグ情報に含まれるタグ番号を特定し、さらに受信機番号に基づいてその受信機の設置位置を特定することで、ＩＣタグ１０１を所持する園児の施設内における所在位置をそれぞれ特定することができる。換言すると、ＩＣタグ受信機１０２により受信されたＩＣタグ１０１の各々に固有の識別情報と、そのＩＣタグ１０１からの識別情報を受信したＩＣタグ受信機１０２の設置位置とに基づいて、監視対象とする園児の施設内における所在位置を特定することができる。
【００１３】
なお、本実施の形態では、施設内の特定の場所ではＩＣタグ受信機１０２の設置密度を高くする。たとえば、遊具の設置場所、トイレ、本棚などのように園児が停止する可能性の高い場所や、窓際、階段などのように園児に危険が生じる可能性のある場所において、ＩＣタグ受信機１０２の設置密度を高くする。一方、園庭の遊具が設置されていない場所や園舎内の廊下などでは、園児が動いている可能性が高いことから、ＩＣタグ受信機１０２の設置密度を低くする。
【００１４】
すなわち、園児が停止する可能性が低い位置、例えば園児が立ち止まらず通過する可能性が高い位置においては、ＩＣタグ受信機１０２の設置密度が低くても園児の移動に伴ってすぐに隣接するＩＣタグ受信機１０２でＩＣタグ情報を受信することができ、園児の位置の検出を継続して行うことができる。これに対して、園児が停止する可能性が高い位置では、ＩＣタグ受信機１０２の設置密度が低いと一旦園児の位置を検出した後、園児が隣接するＩＣタグ受信機１０２の設置位置まで移動するのに時間を要することから、それまでの間は位置を検出できなくなってしまう。これを回避するために、園児が停止する可能性が高い位置の設置密度を上げて、園児が停止しやすい場所でも継続して位置を検出できるようにする。
【００１５】
図２は、園舎内におけるＩＣタグ受信機１０２の設置例を示す図である。図２においては、ＩＣタグ受信機１０２の設置位置を白丸で示している。この図２に示すように、園舎内には窓２ａ、２ｂおよび棚２ｃが設置されており、これらの周囲では、他の位置と比べてＩＣタグ受信機１０２の設置密度が高くなっている。
【００１６】
カメラ１０３は、園児の静止画像を撮影するために用いられる。このカメラ１０３は、制御装置１０５の制御により、同じ位置に一定時間以上留まっている園児が検出されたときに、その園児の静止画像を撮影して制御装置１０５へ出力する。こうしてカメラ１０３から制御装置１０５に出力された園児の撮影画像は、記録装置１０８に記録される。このとき同じ位置に一定時間以上留まっている園児を検出する方法については、後で説明する。なお、カメラ１０３は、園内においてその撮影範囲が園内全体を網羅するように複数台設置される。また、各カメラ１０３は、園内の人物が鮮明に撮影できるように、その設置位置および設置角度が調整されている。
【００１７】
ビデオカメラ１０４は、防犯用カメラとして用いられるものであり、施設内を撮影してその映像を制御装置１０５へ出力する。このビデオカメラ１０４から出力される映像に基づいて、制御装置１０５において、施設内に侵入者や不審者がいないかを後で説明するように検出する。もし侵入者や不審者が検出された場合には、ビデオカメラ１０４の撮影映像が制御装置１０５から記録装置１０８へ出力され、記録装置１０８に記録される。なお、ビデオカメラ１０４もカメラ１０３と同様に、園内においてその撮影範囲が園内全体を網羅するように複数台設置される。また、各ビデオカメラ１０４は、園内の人物が鮮明に撮影できるように、その設置位置および設置角度が調整されている。
【００１８】
全てのカメラ１０３およびビデオカメラ１０４は、各機器に一意に付加されたカメラ番号によって識別可能である。カメラ１０３およびビデオカメラ１０４の設置位置は、後述する記録装置１０８内にカメラ番号と対応付けて記録されている。なお、トイレの個室内などの撮影に適さない場所には、カメラ１０３やビデオカメラ１０４の設置を行わないようにすることが好ましい。
【００１９】
制御装置１０５は、例えばパソコンやサーバなどのコンピュータ装置であり、施設内の複数箇所に設置されたＩＣタグ受信機１０２、カメラ１０３およびビデオカメラ１０４とは、施設内に敷設されたＬＡＮ等を介して接続されている。また、モニタ１０６および記録装置１０８とは所定のインタフェースを介して接続されており、監視用携帯端末１０７とは無線ＬＡＮなどの無線通信回線を介して接続されている。この制御装置１０５は、位置特定部１０５ａ、撮影制御部１０５ｂ、監視部１０５ｃ、侵入者検出部１０５ｄ、アクセス制御部１０５ｅおよびメール配信部１０５ｆを機能的に有している。
【００２０】
位置特定部１０５ａは、ＩＣタグ受信機１０２からタグ情報と受信機番号が入力されると、記録装置１０８に記録されているタグ管理情報に基づいて、そのタグ情報を発信したＩＣタグ１０１のタグ番号によりそのＩＣタグ１０１を所持している園児を特定する。そして、記録装置１０８に記録されている受信機管理情報に基づいて、入力された受信機番号に対応するＩＣタグ受信機１０２の設置位置を特定する。こうして各ＩＣタグ１０１について所持する園児とＩＣタグ受信機１０２の設置位置を特定することにより、各園児の施設内における所在位置を特定する。この各園児の所在位置は、園児が移動し、その園児の所持するＩＣタグ１０１のタグ情報がそれまでとは異なるＩＣタグ受信機１０２によって受信されることにより更新される。
【００２１】
撮影制御部１０５ｂは、位置特定部１０５ａにより特定される各園児の所在位置に基づいて、施設内の同じ位置に留まっている園児がいないか判断する。同じ位置に所定時間留まっている園児がいる場合、その園児を撮影対象に設定してカメラ１０３を制御することにより、その園児をカメラ１０３で撮影して撮影画像を記録装置１０８に記録する。この撮影画像は、後述の監視部１０５ｃによって警告と共に表示されたり、アクセス制御部１０５ｅによってパーソナルコンピュータ３００や携帯電話４００に表示されたり、メール配信部１０５ｆによってメールに添付して送信されたりする。
【００２２】
監視部１０５ｃは、位置特定部１０５ａにより特定される各園児の所在位置に基づいて、施設内の同じ場所に長時間留まっている園児がいないか監視する。長時間同じ場所に留まっている園児がいた場合は、モニタ１０６および監視用携帯端末１０７を用いて、撮影画像の表示と共に施設管理者や保育士への警告を行う。なお、この撮影画像は上記の撮影制御部１０５ｂによって記録装置１０８に記録されたものである。この警告を受けた施設管理者や保育士は、モニタ１０６や監視用携帯端末１０７に表示される撮影画像を確認すると共に、必要に応じてその場に行き園児の様子を実際に確認することにより、危険や異常の有無を判断する。
【００２３】
侵入者検出部１０５ｄは、位置特定部１０５ａにより特定される各園児の所在位置と、ビデオカメラ１０４により撮影された映像に基づいて、施設内にいる侵入者や不審者を検出する。施設内に侵入者や不審者が検出された場合、ビデオカメラ１０４の撮影映像を記録装置１０８に記録すると共に、モニタ１０６や監視用携帯端末１０７を用いて、施設管理者や保育士に対し警告を行う。この警告を受けた施設管理者や保育士は、必要に応じてその場に行き様子を確認することにより、侵入者や不審者がいないか判断する。
【００２４】
アクセス制御部１０５ｅは、公衆回線網２００を介して行われるパーソナルコンピュータ３００や携帯電話４００からのアクセスを受け付け、そのアクセスに応じて、ユーザ認証処理や、パーソナルコンピュータ３００または携帯電話４００において表示する撮影画像の選択および表示用データの送信などを行う。このときの具体的な処理内容については後で詳しく説明する。このアクセス制御部１０５ｅの制御により、撮影制御部１０５ｂによって記録装置１０８に記録された各園児の施設内での撮影画像がパーソナルコンピュータ３００や携帯電話４００において表示される。これにより、保護者は託児施設に預けている間でも自分の子供を見守ることができる。
【００２５】
メール配信部１０５ｆは、パーソナルコンピュータ３００や携帯電話４００に対して、保護者に園児の様子を知らせるためのメール配信を行う。このメール配信は、予め保護者が設定したメール配信条件に従って、後で説明するようにして行われる。このメール配信部１０５ｆが行うメール配信により、保護者は託児施設に預けている間でも自分の子供の様子を知ることができる。
【００２６】
モニタ１０６は、施設内の職員室や園長室などに設置されており、制御装置１０５の制御により、制御装置１０５を操作するための各種操作画面の表示や、記録装置１０８に記録されている園児の撮影画像および侵入者の撮影映像の表示などを行う。また、監視部１０５ｃや侵入者検出部１０５ｄから後述の警告出力が行われたときに、それに応じた警告表示を行って施設管理者に対する警告を行う。このモニタ１０６には、たとえば液晶ディスプレイなどが用いられる。
【００２７】
監視用携帯端末１０７は、保育士によって所持される携帯型の無線通信端末であり、液晶ディスプレイやアンテナ、無線受信機などが搭載されている。なお、保育士は動きが激しいため、監視用携帯端末１０７は保育士がいつでも簡単に所持できるような形態、たとえば腕時計型とすることが好ましい。この監視用携帯端末１０７は、監視部１０５ｃや侵入者検出部１０５ｄから後述のようにして警告情報が送信されると、その警告情報を受信して警告表示を行うことで、保育士に対して警告を行う。
【００２８】
記録装置１０８は、前述のタグ管理情報や受信機管理情報、カメラ１０３により撮影された園児の撮影画像、ビデオカメラ１０４により侵入者検出時に撮影された撮影映像などを記録するための装置である。この記録装置１０８には、たとえばハードディスクなどが用いられる。
【００２９】
以上説明したような施設監視システム１００を用いることにより、幼稚園や保育園などの託児施設において、施設内にいる園児達が自動的に撮影され、その撮影画像が記録される。この撮影画像は、各園児の保護者がパーソナルコンピュータ３００や携帯電話４００を用いて制御装置１０５にアクセスすることで表示される。これにより、託児施設に預けている間でも保護者が自分の子供を見守ることができる。また、施設内の同じ場所に長時間留まっている園児がいる場合には、施設の管理者や保育士に対して警告が行われる。これにより、園児に危険や異常が起きていないかを施設の管理者や保育士に確認させることができる。こうして施設内の安全監視が行われる。
【００３０】
次に、制御装置１０５において、位置特定部１０５ａ、撮影制御部１０５ｂ、監視部１０５ｃ、侵入者検出部１０５ｄ、アクセス制御部１０５ｅおよびメール配信部１０５ｆによりそれぞれ実行される処理の内容について説明する。図３〜９は、これら各部により実行される処理のフローチャートを示している。図３は位置特定部１０５ａによって実行される位置特定処理のフローチャートであり、図４は撮影制御部１０５ｂによって実行される撮影制御処理のフローチャートであり、図５は監視部１０５ｃによって実行される監視処理のフローチャートであり、図６は侵入者検出部１０５ｄによって実行される侵入者検出処理のフローチャートであり、図７および８はアクセス制御部１０５ｅによって実行されるアクセス監視処理のフローチャートであり、図９はメール配信部１０５ｆによって実行されるメール配信処理のフローチャートである。以下ではこれら各フローチャートについて順に説明する。
【００３１】
初めに図３の位置特定処理のフローチャートについて説明する。このフローチャートは、位置特定部１０５ａにおいて所定の処理サイクルで実行される。ステップＳ１０１では、ＩＣタグ受信機１０２からタグ情報と受信機番号を入力する。ステップＳ１０２では、ステップＳ１０１で入力したタグ番号と記録装置１０８に記録されたタグ管理情報に基づいて、そのタグ番号に該当する園児を特定する。ステップＳ１０３では、ステップＳ１０２で特定された園児について、ステップＳ１０１で入力した受信機番号と記録装置１０８に記録された受信機管理情報に基づいて、その園児の位置を特定する。ステップＳ１０４では、ステップＳ１０３で特定された園児の位置情報を記録装置１０８に記録する。ステップＳ１０４を実行したら、図３のフローチャートを終了する。
【００３２】
位置特定処理では、以上説明したような処理が実行される。これにより、施設内における各園児の所在位置がそれぞれ特定され、その所在位置が記録装置１０８に記録される。こうして記録装置１０８に記録された各園児の所在位置は、園児が移動することによって更新される。
【００３３】
次に図４の撮影制御処理のフローチャートについて説明する。このフローチャートは、撮影制御部１０５ｂにおいて所定の処理サイクルで実行される。ステップＳ２０１では、前述の位置特定処理によって記録装置１０８に記録された各園児の位置情報を記録装置１０８から読み出す。ステップＳ２０２では、ステップＳ２０１で読み出した各園児の位置情報に基づいて、各園児がそれぞれ同じ位置に留まっている時間（滞留時間）を各園児について算出する。
【００３４】
ステップＳ２０３では、次のステップＳ２０４において判定のしきい値として用いられる撮影開始時間の設定を行う。この撮影開始設定時間は、施設内の場所ごとに、すなわち施設内で各園児が留まっている位置ごとに、それぞれ異なる値で設定される。たとえば、教室の入口では１０秒、窓側では短めに５秒（落下の危険があるため）、廊下では１５秒、トイレでは２０分（異常に長い場合を除いて監視を禁止するため）など、場所に応じた長さの撮影開始設定時間が設定される。これにより、施設内の場所ごとに想定される園児の行動内容に応じて、適切な値により撮影開始時間を設定することができる。
【００３５】
なお、ステップＳ２０３では、園児ごとに異なる撮影開始時間を設定することとしてもよい。たとえば、各園児の保護者が予め任意の撮影開始時間を設定しておき、この撮影開始時間を各園児に対してそれぞれ設定する。なお、この場合にも上記のように施設内の場所ごとに撮影開始設定時間を異なる値としてもよい。
【００３６】
ステップＳ２０４では、いずれかの園児について、ステップＳ２０２で算出した滞留時間がステップＳ２０３で設定した撮影開始時間を超えているか否かを判定する。いずれかの園児の滞留時間が設定された撮影開始時間を超えている場合は、次のステップＳ２０５へ進む。一方、いずれの園児についても滞留時間が撮影開始時間を超えていない場合は、図４のフローチャートを終了する。
【００３７】
ステップＳ２０５では、ステップＳ２０４において滞留時間が撮影開始時間を超えていると判定された園児を撮影対象園児として設定する。次のステップＳ２０６では、ステップＳ２０５で設定された撮影対象園児をカメラ１０３で撮影してその撮影画像を取得し、取得した撮影画像を記録装置１０８に記録する。このとき、前述のようにカメラ番号と対応付けて記録装置１０８に記録されたカメラ１０３の設置位置に基づいて、複数あるカメラ１０３のうちのどれを用いて撮影するかの判断が行われる。
【００３８】
ステップＳ２０７では、前回ステップＳ２０６において撮影画像を取得してから所定の撮影サイクル時間が経過したか否かを判定する。この撮影サイクル時間は、各保護者が自分の子供に対して、たとえば１秒などの任意の時間を予め設定しておくことができる。すなわち、各園児にはそれぞれ異なる撮影サイクル時間がその保護者によって予め設定されている。そして、いずれかの園児について滞留時間が撮影開始時間を超えているとステップＳ２０４において判定されると、その園児に対して設定された撮影サイクル時間に基づいて、ステップＳ２０７の判定が行われる。ステップＳ２０７において撮影サイクル時間が経過したと判定したらステップＳ２０６へ戻り、前述のように撮影画像の取得および記録を行う。このようにして、同じ位置に留まっている園児の撮影画像が所定の撮影サイクル時間間隔で連続的に撮影され、記録装置１０８に記録される。
【００３９】
一方、ステップＳ２０７において撮影サイクル時間がまだ経過していないと判定した場合は、ステップＳ２０８へ進む。ステップＳ２０８では、ステップＳ２０５で設定された撮影対象園児のうちいずれかの園児の位置が移動したか否かを判定する。なお、このとき撮影対象園児の最新の位置情報が記録装置１０８から読み出される。いずれかの撮影対象園児の位置が移動しており、その園児が既にそれまでとは異なる位置にいる場合は、ステップＳ２０９へ進む。一方、全ての撮影対象園児の位置がそのまま変化していない場合は、ステップＳ２０７へ戻る。
【００４０】
ステップＳ２０９では、ステップＳ２０８において位置移動があったと判定された園児を撮影対象から除外する。これにより、その園児は撮影対象園児でなくなり、以降は上記のような処理の対象から除かれる。すなわち、位置移動があった園児については撮影画像の取得および記録が停止される。
【００４１】
ステップＳ２１０では、ステップＳ２０９において位置移動があったと判定された園児を撮影対象から除外した結果、全ての園児が撮影対象から除外されたか否かを判定する。全ての園児が撮影対象から除外された場合、すなわち撮影対象園児がいなくなった場合は、図４のフローチャートを終了する。これにより、全ての園児について撮影画像の取得および記録が停止される。一方、いずれかの園児が撮影対象に残されており、まだ撮影対象園児がいる場合には、ステップＳ２０７へ戻って上記のような処理を繰り返す。撮影制御処理では、以上説明したような処理が実行される。
【００４２】
なお、上記の説明では、ステップＳ２０４において滞留時間が撮影開始時間を超えていると判定された園児をステップＳ２０５において撮影対象園児に設定し、ステップＳ２０６において撮影画像を記録することとしたが、たとえば登園時や退園時など特定の時間帯では、滞留時間とは無関係に必ず撮影画像を記録するようにしてもよい。このようにすれば、滞留時間が撮影開始時間を超えることが一日のうちで一度も無かった園児についても、その時間帯では必ず撮影画像を記録することができる。
【００４３】
次に図５の監視処理のフローチャートについて説明する。このフローチャートは、監視部１０５ｃにおいて所定の処理サイクルで実行される。ステップＳ３０１およびＳ３０２では、図４のステップＳ２０１およびＳ２０２と同様の処理を行う。すなわち、ステップＳ３０１では位置特定処理によって記録装置１０８に記録された各園児の位置情報を記録装置１０８から読み出し、ステップＳ３０２では、ステップＳ３０１で読み出した各園児の位置情報に基づいて、前回と同じ位置に留まっている園児を特定する。
【００４４】
ステップＳ３０３では、次のステップＳ３０４において判定のしきい値として用いられる警告開始時間の設定を行う。この警告開始時間も図４のステップＳ２０３において設定される撮影開始時間と同様に、施設内の場所ごとに、すなわち施設内で各園児が留まっている位置ごとに、それぞれ異なる値で設定される。なお、この警告開始時間には撮影開始時間よりも長い時間を設定してもよいし、同じ時間としてもよいが、撮影開始時間よりも短い時間を設定すべきではない。もし撮影開始時間よりも短い時間を設定すると、図４のステップＳ２０６により撮影画像の記録が行われない状態で、後述のステップＳ３０５において警告対象園児が設定される。その結果、ステップＳ３０６において警告時に表示する撮影画像の選択ができなくなってしまう。したがって、撮影開始時間よりも短い時間を警告開始時間に設定すべきではない。
【００４５】
ステップＳ３０４では、いずれかの園児について、ステップＳ３０２で算出した滞留時間がステップＳ３０３で設定した警告開始時間を超えているか否かを判定する。いずれかの園児の滞留時間が設定された警告開始時間を超えている場合は、次のステップＳ３０５へ進む。一方、いずれの園児についても滞留時間が警告開始時間を超えていない場合は、図５のフローチャートを終了する。
【００４６】
ステップＳ３０５では、ステップＳ３０４において滞留時間が警告開始時間を超えていると判定された園児を警告対象園児として設定する。次のステップＳ３０６では、図４のステップＳ２０６においてそれまでに記録装置１０８に記録された撮影画像の中から、モニタ１０６および監視用携帯端末１０７において警告時に表示する撮影画像の選択を行う。ここでは、たとえば警告対象園児についてそれまでに記録された撮影画像のうちで最新の撮影画像を選択する。あるいは、最新のものから順に複数の撮影画像を予め決められた枚数だけ選択してもよい。
【００４７】
ステップＳ３０７では、モニタ１０６への警告出力を行う。この警告出力は、ステップＳ３０６で選択した撮影画像をモニタ１０６へ出力すると共に、たとえば「長時間同じ場所に留まっている園児がいます」のような警告文をモニタ１０６へ出力することにより行われる。この警告出力によってモニタ１０６に撮影画像と警告文が表示されることにより、施設管理者に対する警告が行われる。このときに警告音の出力などを同時に行ってもよい。なお、複数の撮影画像がステップＳ３０６において選択されていた場合は、その複数の撮影画像を同時に一画面内に表示してもよいし、連続的にスライド表示してもよい。
【００４８】
ステップＳ３０８では、監視用携帯端末１０７へ警告情報の送信を行う。この警告情報の送信では、ステップＳ３０６で選択された撮影画像と共に、たとえば「長時間同じ場所に留まっている園児がいます」のような警告文が警告情報として監視用携帯端末１０７へ送信される。この警告情報に応じて監視用携帯端末１０７において撮影画像と警告文が表示されることにより、保育士に対する警告が行われる。なお、このときステップＳ３０７と同様に、警告音の出力などを同時に行ってもよい。また、複数の撮影画像がステップＳ３０６において選択されていた場合は、その複数の撮影画像を同時に一画面内に表示してもよいし、連続的にスライド表示してもよい。
【００４９】
なお、ステップＳ３０８では、特定の保育士が所持している監視用携帯端末１０７のみに対して警告情報を送信するようにしてもよい。たとえば、警告対象園児の担任である保育士が所持する監視用携帯端末１０７に対してのみ警告情報を送信し、それ以外の監視用携帯端末１０７に対しては警告情報を送信しないようにする。この場合、各保育士が担任している園児と各保育士が所持する監視用携帯端末１０７との対応関係を表した情報を予め記録装置１０８に記録しておく必要がある。あるいは、担任が警告対象園児と違う場所にいる場合にのみ、その担任が所持する監視用携帯端末１０７に対して警告情報を送信することとしてもよい。この場合、園児と同様に保育士にもＩＣタグ１０１を所持させることにより、各保育士の位置を特定することができる。
【００５０】
ステップＳ３０９では、ステップＳ３０７およびＳ３０８によって施設管理者や保育士に対して行われた警告が解除されたか否かを判定する。この警告の解除は、たとえば施設管理者または保育士が状況を確認した後、施設管理者が制御装置１０５に対して所定の解除操作を行うことにより行われる。警告がまだ解除されていなければステップＳ３１０へ進み、警告が解除された場合はステップＳ３１２へ進む。
【００５１】
ステップＳ３１０では、ステップＳ３０７およびＳ３０８により警告をしてから、または後述のステップＳ３１１においてトラブル発生通知メールを前回送信してから、所定の通知サイクル時間が経過したか否かを判定する。この通知サイクル時間は予め設定されており、たとえば５分などの時間が通知サイクル時間として設定される。通知サイクル時間がまだ経過していない場合はステップＳ３０９へ戻り、経過したら次のステップＳ３１１へ進む。
【００５２】
ステップＳ３１１では、警告対象園児の保護者へ何らかのトラブルが発生した可能性があることを通知するためのトラブル発生通知メール（ワーニングメール）を送信する。このトラブル発生通知メールは、警告対象とされた園児の保護者がその園児と対応付けて予め登録しておいたメールアドレスに基づいて送信される。当該保護者は、パーソナルコンピュータ３００または携帯電話４００を用いて送信されたトラブル発生通知メールを受信する。なお、トラブル発生通知メールではステップＳ３０６で選択した警告時の撮影画像を添付して送信することが好ましい。このようにすれば、保護者はメールに添付された撮影画像から自分の子供の様子を確認することができる。ステップＳ３１１を実行したらステップＳ３０９へ戻る。このようにして、長時間同じ場所に留まっている園児がいる場合は施設管理者や保育士に対して警告し、その警告が解除されないときには保護者に対してトラブル発生通知メールを送信することにより、施設内で何らかのトラブルが発生した可能性があることを通知する。
【００５３】
一方、ステップＳ３０９において警告が解除されたと判定した場合、続くステップＳ３１２では、それまでにステップＳ３１１を実行することで警告対象園児の保護者へトラブル発生通知メールを送信済みであるか否かを判定する。ステップＳ３１１を実行しておりトラブル発生通知メールを送信済みである場合はステップＳ３１３へ進み、トラブル発生通知メールを送信していない場合は図５のフローチャートを終了する。
【００５４】
ステップＳ３１３では、警告対象園児の保護者へ通知済みのトラブルが解除されたことを知らせるためのトラブル解除通知メールを送信する。このトラブル解除通知メールも前述のトラブル発生通知メールと同様に、保護者が予め登録しておいたメールアドレスに基づいて送信される。保護者はパーソナルコンピュータ３００または携帯電話４００を用いて、送信されたトラブル解除通知メールを受信する。なお、トラブル解除通知メールでは、施設管理者や保育士が保護者に対する状況の説明を記載することが好ましい。ステップＳ３１３を実行したら、図５のフローチャートを終了する。監視処理では、以上説明したような処理が実行される。
【００５５】
次に図６の侵入者検出処理のフローチャートについて説明する。このフローチャートは、侵入者検出部１０５ｄにおいて所定の処理サイクルで実行される。ステップＳ４０１では、各ビデオカメラ１０４によって撮影された映像を入力する。ステップＳ４０２では、ステップＳ４０１で入力した各ビデオカメラ１０４の撮影映像に基づいて、その撮影映像に映っている各人物の位置や人数、特徴などを特定するための画像認識処理を行う。この画像認識処理は周知の処理アルゴリズムを用いて行われる。
【００５６】
ステップＳ４０３では、前述の位置特定処理によって記録装置１０８に記録された各園児の位置情報を記録装置１０８から読み出す。ここで位置情報が読み出される各園児は、ＩＣタグ１０１を所持しており正当に施設内にいるものである。すなわち、ステップＳ４０３で位置情報が読み出されない人物とは、ＩＣタグ１０１を所持しておらず不当に施設内にいる人物（侵入者、不審者など）である。
【００５７】
ステップＳ４０４では、ステップＳ４０２の画像認識処理の結果と、ステップＳ４０３で読み出した各園児の位置情報に基づいて、いずれかのビデオカメラ１０４によって撮影された映像において位置情報の記録されていない人物が映っているか否かを判定する。ここでは、画像認識処理によって特定された各人物の位置や人数と読み出された各園児の位置情報とを比較し、これらの内容が一致しているか否かを判定することにより、位置情報の記録されていない人物が映っているか否かを判定する。全ての撮影映像においてこれらの内容が一致している場合は、位置情報の記録されていない人物が映っていないと判定してステップＳ４０５へ進む。一方、いずれかの撮影映像においてこれらの内容が一致していない場合は、その撮影映像に位置情報の記録されていない人物が映っていると判定して、ステップＳ４０６へ進む。このとき、位置情報の記録されていない人物、すなわちＩＣタグ１０１を所持しておらずに位置特定処理によってはその所在位置が特定されない人物は、侵入者あるいは不審者として検出される。
【００５８】
なお、ステップＳ４０４では、園児以外で施設内にいる施設管理者や保育士などの人物が侵入者や不審者と判断されないようにするため、施設管理者や保育士などにもＩＣタグ１０１を所持させてその位置情報を記録しておくことが好ましい。あるいは、施設管理者や保育士などの映像を予め登録しておき、ステップＳ４０２の画像認識処理において撮影映像に映っている人物を特定するときに、これらの登録された人物を除外することとしてもよい。
【００５９】
ステップＳ４０４からステップＳ４０５へ進んだ場合、ステップＳ４０５では、各ＩＣタグ１０１から送信されるタグ情報に基づいて、未登録のＩＣタグ１０１が検出されたか否かを判定する。すなわち、タグ管理情報において予めタグ番号の登録されていないＩＣタグ１０１からのタグ情報がＩＣタグ受信機１０２により受信されていた場合は、未登録のＩＣタグ１０１が検出されたと判定してステップＳ４０６へ進む。このとき、未登録のＩＣタグ１０１を所持している人物、すなわち既卒園者や不正にＩＣタグ１０１を入手した人物などは、侵入者や不審者として検出される。そうでない場合は未登録のＩＣタグ１０１が検出されていないと判定し、図６のフローチャートを終了する。この場合、侵入者や不審者がいないと判断され、ビデオカメラ１０４の撮影映像が記録されない。
【００６０】
ステップＳ４０６では、ビデオカメラ１０４によって撮影された映像を記録装置１０８に記録する。このとき、ステップＳ４０４が肯定判定されていた場合は、その判定により位置情報の記録されていない人物が映っているとされた撮影映像を記録装置１０８に記録する。また、ステップＳ４０５が肯定判定されていた場合は、その判定により未登録のＩＣタグ１０１を所持しているとされた人物を撮影しているビデオカメラ１０４を、前述のようにカメラ番号と対応付けて記録装置１０８に記録されたビデオカメラ１０４の設置位置に基づいて判断し、そのビデオカメラ１０４の撮影映像を記録装置１０８に記録する。
【００６１】
ステップＳ４０７では、モニタ１０６への警告出力を行う。この警告出力は、たとえば「不審者が検出されました」のような警告文をモニタ１０６へ出力することにより行われる。この警告出力によってモニタ１０６に警告文が表示されることにより、施設管理者に対する警告が行われる。なお、このときステップＳ４０６で記録された撮影映像の一コマや一部分を切り出して警告文と共に表示することとしてもよいし、警告音の出力などを同時に行ってもよい。
【００６２】
ステップＳ４０８では、監視用携帯端末１０７へ警告情報の送信を行う。この警告情報の送信では、たとえば「不審者が検出されました」のような警告文が警告情報として監視用携帯端末１０７へ送信される。この警告情報に応じて監視用携帯端末１０７において警告文が表示されることにより、保育士に対する警告が行われる。なお、このときステップＳ４０７と同様に、ステップＳ４０６で記録された撮影映像の一コマや一部分を警告文と共に送信して表示することとしてもよいし、警告音の出力などを同時に行ってもよい。ステップＳ４０８を実行したら、図６のフローチャートを終了する。侵入者検出処理では、以上説明したような処理が実行される。
【００６３】
なお、上記の説明ではビデオカメラ１０４の撮影映像に基づいて画像認識処理を行うことで侵入者や不審者を検出することとしたが、生体反応を検出するセンサを用いて侵入者や不審者を検出することとしてもよい。たとえば、熱源を検知したり、赤外線やレーザ光の遮蔽を検出したりすることにより、生体反応を検出するセンサが知られている。ステップＳ４０３で読み出した各園児の所在位置を表す位置情報と、このような生体反応検出センサの検出結果とに基づいて、侵入者を検出することができる。なお、この場合にはビデオカメラ１０４の撮影映像を記録する代わりに、カメラ１０３によって撮影した撮影画像を記録するようにしてもよい。このようにすれば、ビデオカメラ１０４を省略することができる。
【００６４】
次に図７のアクセス制御処理のフローチャートについて説明する。このフローチャートは、アクセス制御部１０５ｅにおいて、パーソナルコンピュータ３００または携帯電話４００からのアクセスがあったときに実行される。ステップＳ５０１では、アクセスのあったパーソナルコンピュータ３００または携帯電話４００に対して、ログインページの送信を行う。ここで送信されるログインページが保護者の操作しているパーソナルコンピュータ３００または携帯電話４００において表示され、それに応じて保護者がログインＩＤとパスワードを入力すると、次のステップＳ５０２へ進む。
【００６５】
ステップＳ５０１で送信されたログインページをパーソナルコンピュータ３００に表示した画面例を図１０に示す。この画面において、保護者がパーソナルコンピュータ３００の操作によりログインＩＤとパスワードを入力して「ＯＫ」をクリックすると、そのログインＩＤとパスワードの情報がアクセス制御部１０５ｅへ送信され、ステップＳ５０２の判定が行われる。
【００６６】
ステップＳ５０２では、上記のようにして保護者に入力されたログインＩＤとパスワードに基づいて、ユーザ認証判定を行う。入力されたログインＩＤとパスワードが正しければ、そのログインＩＤとパスワードから保護者を特定してユーザ認証ＯＫと判定し、次のステップＳ５０３へ進む。一方、入力されたログインＩＤとパスワードが正しくない場合は、ユーザ認証がＯＫでないと判定してステップＳ５０１へ戻り、正しいログインＩＤとパスワードを入力しなおすように促す。
【００６７】
ステップＳ５０３では、ステップＳ５０２のユーザ認証によって特定された保護者の子供（園児）に同じ施設に預けられている兄弟がいるか否かを判定する。兄弟がいる場合、すなわちその保護者が複数の園児を施設に預けている場合は、ステップＳ５０４へ進む。一方、兄弟がいない場合、すなわちその保護者が施設に一人しか園児を預けていない場合は、ステップＳ５０６へ進む。
【００６８】
ステップＳ５０４では、アクセスのあったパーソナルコンピュータ３００または携帯電話４００に対して、ユーザ認証によって特定された保護者が施設に預けている兄弟のうちいずれかをその保護者に選択させるための選択ページの作成および送信を行う。次のステップＳ５０５では、兄弟のうちいずれかが当該保護者の操作によって選択されたか否かを判定する。ここでは、ステップＳ５０４で送信された選択ページが保護者の操作しているパーソナルコンピュータ３００または携帯電話４００において表示され、それに応じて保護者が兄弟のうちいずれかを選択するまでの間はステップＳ５０５に留まる。兄弟のうちいずれかが選択されると、ステップＳ５０６へ進む。
【００６９】
ステップＳ５０４で送信された選択ページをパーソナルコンピュータ３００に表示した画面例を図１１に示す。ここでは、前述のユーザ認証により保護者の「まつもと」さんが特定され、その保護者には同じ幼稚園に預けている３人の兄弟（「まつもとたいよう」くん、「まつもとしろ」くん、「まつもとくろ」くん）がいる例を示している。この画面において、当該保護者がパーソナルコンピュータ３００の操作により上記の３人の兄弟の中からいずれかを選択すると、その選択結果がアクセス制御部１０５ｅへ送信される。これによりステップＳ５０５が肯定判定される。なお、この画面では幼稚園からのお知らせの有無も表示されており、お知らせがある場合とない場合では図中に示すように表示の内容が変化する。
【００７０】
ステップＳ５０６では、当該保護者の子供を対象とした警告があったか否かを判定する。ここでいう警告とは、図５のフローチャートのステップＳ３０７とＳ３０８において、モニタ１０６と監視用携帯端末１０７によりそれぞれ行われるものである。すなわち、当該保護者の預けている園児が施設内で長時間同じ場所に留まっていたため、監視部１０５ｃが実行する前述の監視処理によってその園児が警告対象園児に設定され、施設管理者や保育士に対する警告が行われていた場合は、ステップＳ５０６が肯定判定されてステップＳ５０８へ進む。そうでない場合はステップＳ５０６が否定判定され、ステップＳ５０７へ進む。なお、兄弟がいるとステップＳ５０３で判定された場合は、その兄弟の中からステップＳ５０５で選択された園児についてステップＳ５０６の判定が行われる。
【００７１】
ステップＳ５０７では、アクセスのあったパーソナルコンピュータ３００または携帯電話４００に対して、ステップＳ５０６で警告なしと判定された園児の最新の撮影画像やその他の各種情報を表示するための最新画像ページの作成および送信を行う。これにより、パーソナルコンピュータ３００または携帯電話４００からのアクセスに応じて、記録装置１０８に記録された撮影画像をパーソナルコンピュータ３００または携帯電話４００において表示させる。
【００７２】
最新画像ページをパーソナルコンピュータ３００に表示した画面例を図１２に示す。ここでは、図１１の選択ページにおいて「まつもとたいよう」くんが選択されることにより、その「まつもとたいよう」くんについて表示される最新画像ページの例を示している。この最新画像ページでは、「まつもとたいよう」くんの最新の撮影画像３０１が優先的に表示される。なお、撮影画像３０１の下にあるスライドバーを操作することにより、以前に記録された撮影画像を表示することもできる。いずれかの撮影画像がクリックされると、その撮影画像が拡大して表示される。これらの撮影画像は、図４のフローチャートのステップＳ２０６によって記録装置１０８に記録されたものである。
【００７３】
また図１２の最新画像ページでは、「まつもとたいよう」くんの幼稚園での予定を示すタイムスケジュール３０２が表示されている。このタイムスケジュール３０２には、所定時間ごとに区切られたスケジュール項目の内容（主な居場所、行動予定など）と、そのスケジュール項目ごとに撮影された画像の枚数が表されている。スケジュール項目のいずれかが選択されると、そのスケジュール項目のときに撮影された画像が下の欄に表示される。さらに、月ごとの予定を示す月間カレンダー３０３、保護者から幼稚園への伝言とそれに対する返信を記載するためのことづてコーナー３０４、受信メール通知欄３０５、他の兄弟の最新画像ページへのリンク３０６なども表示されている。なお、リンク３０６がクリックされて他の兄弟の最新画像ページへ移動した場合は、移動前のタイムスケジュール３０２において選択されていたのと同じスケジュール項目が自動的に選択される。この最新画像ページにおいて「更新」がクリックされると、最新の状態に更新される。
【００７４】
一方ステップＳ５０８では、アクセスのあったパーソナルコンピュータ３００または携帯電話４００に対して、ステップＳ５０６で警告ありと判定された園児の警告時の撮影画像などを表示するための警告ページの作成および送信を行う。これにより、パーソナルコンピュータ３００または携帯電話４００からのアクセスに応じて、記録装置１０８に記録された警告時の撮影画像をパーソナルコンピュータ３００または携帯電話４００において表示させる。
【００７５】
警告ページをパーソナルコンピュータ３００に表示した画面例を図１３に示す。ここでは、図１１の選択ページで選択された「まつもとたいよう」くんを対象とした警告があった場合に、その「まつもとたいよう」くんについて表示される警告ページの例を示している。この警告ページでは、「まつもとたいよう」くんの警告時の撮影画像３１１が、警告があった旨を表す「Ｗａｒｎｉｎｇ！」の文字と共に優先的に表示される。それ以外の表示内容については、図１２の最新画像ページと同様である。なお、受信メール通知欄には前述のトラブル発生通知メール（ワーニングメール）を受信した旨が表示されている。
【００７６】
ステップＳ５０７またはステップＳ５０８において、以上説明したような最新画像ページまたは警告ページをパーソナルコンピュータ３００または携帯電話４００へ送信して表示したら、ステップＳ５０９へ進む。ステップＳ５０９では、表示された最新画像ページまたは警告ページにおいて当該保護者により行われた操作に応じた処理を実行する。たとえば、選択された撮影画像の拡大表示や、入力された伝言の登録、受信メールの表示、他の兄弟の最新画像ページへの移動などを、前述のようにして行う。その後、保護者がログアウトしたり操作終了を選択したりすることによって操作が終了されたら、図７のフローチャートを終了する。アクセス制御処理では、以上説明したような処理が実行される。
【００７７】
なお、以上説明したアクセス制御処理に替えて次のようにしてもよい。図８のフローチャートは、アクセス制御部１０５ｅにおいて実行されるアクセス制御処理の変形例を示している。このフローチャートも図７と同様に、パーソナルコンピュータ３００または携帯電話４００からのアクセスがあったときに実行される。ステップＳ５１１およびＳ５１２では、図７のステップＳ５０１およびＳ５０２と同様に、ログインページの送信およびユーザ認証の判定を行う。
【００７８】
ステップＳ５１３では、ステップＳ５１２のユーザ認証によって特定された保護者の子供を対象とした警告があったか否かを判定する。この判定では、図７のステップＳ５０６とは異なり、同じ施設に預けられている兄弟がいる場合はその全ての兄弟について警告があったか否かを判定する。特定された当該保護者の子供に対して（兄弟がいる場合は、そのうちいずれかに対して）警告があった場合はステップＳ５１８へ進み、警告がなかった場合はステップＳ５１４へ進む。
【００７９】
ステップＳ５１４〜Ｓ５１７では、図７のステップＳ５０３〜Ｓ５０５およびＳ５０７と同様の処理を行う。すなわち、ステップＳ５１４では兄弟の有無を判定し、兄弟がいると判定された場合はステップＳ５１５において選択ページの作成および送信を行う。ステップＳ５１６において兄弟のうちいずれかが選択されたと判定されると、その選択された園児についての最新画像ページがステップＳ５１７において作成され、パーソナルコンピュータ３００または携帯電話４００に送信されて表示される。また、ステップＳ５１４において兄弟がいないと判定された場合は、その園児についての最新画像ページがステップＳ５１７において作成され、パーソナルコンピュータ３００または携帯電話４００に送信されて表示される。
【００８０】
一方ステップＳ５１８では、図７のステップＳ５０８と同様に、ステップＳ５１３で警告ありと判定された園児についての警告ページの作成および送信を行う。この場合、兄弟がいる場合であっても図１１のような選択ページが表示されずに、図１０のログインページから直接図１３の警告ページへ移動することとなる。これにより、兄弟のいずれかに警告があった場合は、その警告のあった園児についての警告ページが優先的に表示されるため、警告時の撮影画像を確実に保護者に確認させることができる。
【００８１】
ステップＳ５１９では、図７のステップＳ５０９と同様に、表示された最新画像ページまたは警告ページにおいて当該保護者により行われた操作に応じた処理を実行する。その後操作が終了されたら、図８のフローチャートを終了する。アクセス制御処理では、以上説明したような処理を実行するようにしてもよい。
【００８２】
次に図９のメール配信処理のフローチャートについて説明する。このフローチャートは、メール配信部１０５ｆにおいて所定の処理サイクルで実行される。ステップＳ６０１では、園児のいずれかを選択する。次のステップＳ６０２では、ステップＳ６０１で選択した園児の保護者からのメール配信希望があるか否かを判定する。このメール配信希望は、予め各園児の保護者にメール配信希望の有無を確認しておき、その確認結果を登録しておくことにより実行される。メール配信希望がある場合はステップＳ６０３へ進み、ない場合はステップＳ６０６へ進む。
【００８３】
ステップＳ６０３では、ステップＳ６０２で保護者からのメール配信希望ありと判断された園児についてメール配信条件を満たしているか否かを判定する。メール配信条件を満たしている場合はステップＳ６０４へ進み、満たしていない場合はステップＳ６０６へ進む。このメール配信条件は各園児の保護者がそれぞれ任意に設定しておくことができる。たとえば、未配信の撮影画像が新たに記録されたことをメール配信条件とすることができる。すなわち、前回配信したメールに添付した撮影画像よりも後に撮影された画像が図４のステップＳ２０６により記録装置１０８に記録された場合には、メール配信条件を満たしていると判定する。あるいは、特定の時間になったらメール配信するようにメール配信条件を設定したり、予め登録されたタイムスケジュールと関連付けてメール配信条件を設定したりしてもよい。このとき、たとえばお昼寝の時間など特定の時間にはメール配信をしないように設定することもできる。これ以外にも様々なメール配信条件を各園児の保護者は設定しておくことができる。
【００８４】
ステップＳ６０４では、メールに添付する撮影画像（添付画像）の選択を行う。このときの選択方法についても、各園児の保護者がそれぞれ任意に設定しておくことができる。たとえば、記録装置１０８に記録されている当該園児の撮影画像のうち、未配信の撮影画像の全てを選択したり、最新の撮影画像のみを選択したりすることができる。または、一日のうちで最初に配信するメールのみ撮影画像を添付し、２回目以降の配信メールでは撮影画像を添付しないこととしてもよい。これ以外にも様々な添付画像の選択方法を各園児の保護者は設定しておくことができる。
【００８５】
ステップＳ６０５では、ステップＳ６０４で選択された添付画像を添付したメールを、当該園児の保護者の送信アドレスに対して送信する。この送信アドレスは、その添付画像を撮影された園児の保護者により、その園児と対応付けて予め登録されているメールアドレスである。なお、このときに予め設定された定型のメッセージなどをメールのタイトルや本文に挿入しておくことが好ましい。
【００８６】
ステップＳ６０６では、ステップＳ６０１において施設にいる全ての園児を選択したか否かを判定する。全ての園児を既に選択した場合は、図９のフローチャートを終了する。しかし、まだ選択していない園児が残っている場合はステップＳ６０１へ戻り、その未選択の園児のうちいずれかを選択して、上記のような処理を繰り返す。メール配信処理では、以上説明したような処理が実行される。
【００８７】
以上説明した実施の形態によれば、次のような作用効果を奏することができる。
（１）撮影制御部１０５ｂが行う撮影制御処理により、施設内にいる各園児について滞留時間を算出し（ステップＳ２０２）、算出された各園児の滞留時間に基づいて、施設内にいる園児のいずれかをカメラ１０３で撮影し、その撮影画像を記録装置１０８に記録する（ステップＳ２０６）こととした。このようにしたので、施設内にいる人物を撮影して施設内の安全を監視する施設監視システムに適用したときに、使い勝手の良いシステムを提供することができる。
【００８８】
（２）施設内における各園児の所在位置を特定し（ステップＳ１０３）、その情報を記録装置１０８に記録しておく（ステップＳ１０４）。ステップＳ２０２では、こうして特定されて記録された各園児の所在位置に基づいて、各園児の滞留時間を算出することとした。このようにしたので、各園児の滞留時間を正確に算出することができる。
【００８９】
（３）施設内に複数のＩＣタグ受信機１０２を設置しておき、ステップＳ１０３では、このＩＣタグ受信機１０２により受信された園児が所持するＩＣタグ１０１のタグ情報と、そのタグ情報を受信したＩＣタグ受信機１０２の設置位置とに基づいて、施設内における各園児の所在位置を特定することとした。このようにしたので、各園児の所在位置を精度よく求めることができる。
【００９０】
（４）各園児の滞留時間に対するしきい値として所定の撮影開始時間を設定し（ステップＳ２０３）、いずれかの園児についてステップＳ２０２で算出された滞留時間がステップＳ２０３で設定された撮影開始時間を超えたときに（ステップＳ２０４）、その園児を撮影対象園児に設定して（ステップＳ２０５）、ステップＳ２０６においてカメラ１０３で撮影することとした。このようにしたので、撮影対象とする園児を的確に決めることができる。
【００９１】
（５）ステップＳ２０３で撮影開始時間を設定する際には、施設内で各園児が留まっている位置ごとに撮影開始時間を異なる値で設定することとした。このようにしたので、施設内の場所ごとに想定される園児の行動内容に応じて、適切な値により撮影開始時間を設定することができる。
【００９２】
（６）ステップＳ２０６において施設内にいる園児のいずれかをカメラ１０３で撮影するときに、所定の撮影サイクル時間が経過したか否かを判定し（ステップＳ２０７）、撮影サイクル時間が経過する度にステップＳ２０６を繰り返し実行することにより、その園児を撮影サイクル時間間隔で連続的に撮影して記録することとした。このようにしたので、記録された連続画像から同じ位置に留まっている園児の様子を判断することができる。
【００９３】
（７）アクセス制御部１０５ｅが実行するアクセス制御処理により、外部のパーソナルコンピュータ３００または携帯電話４００からのアクセスに応じて、記録装置１０８に記録された撮影画像をパーソナルコンピュータ３００または携帯電話４００において表示させる（ステップＳ５０７、Ｓ５０８、Ｓ５１７、Ｓ５１８）こととした。このようにしたので、各園児の保護者は自分の子供の撮影画像を自宅などから好きなときに見ることができる。したがって、施設に預けている間でも自分の子供を見守ることができる。
【００９４】
（８）メール配信部１０５ｆが実行するメール配信処理により、記録装置１０８に記録された撮影画像を添付した電子メールを、その撮影画像を撮影された園児と対応付けて予め登録されたメールアドレスに送信する（ステップＳ６０５）こととした。このようにしたので、各園児の保護者は自分の子供の撮影画像を配信された電子メールによって確認できる。したがって、施設に預けている間でも自分の子供を見守ることができる。
【００９５】
（９）施設内に複数のＩＣタグ受信機１０２を設置しておき、位置特定部１０５ａが行う位置特定処理により、このＩＣタグ受信機１０２により受信された園児が所持するＩＣタグ１０１のタグ情報と、そのタグ情報を受信したＩＣタグ受信機１０２の設置位置とに基づいて、施設内における各園児の所在位置を特定し（ステップＳ１０３）、その情報を記録装置１０８に記録しておく（ステップＳ１０４）。そして、侵入者検出部１０５ｄが行う侵入者検出処理により、ＩＣタグ１０１を所持しておらずに位置特定処理によって所在位置が特定されない人物を判定し（ステップＳ４０４）、その人物を施設への侵入者として検出する。こうして検出された侵入者について、ビデオカメラ１０４で撮影された撮影映像を記録する（ステップＳ４０６）こととした。このようにしたので、施設内にいる人物を撮影して施設内の安全を監視する施設監視システムに適用したときに、使い勝手の良いシステムを提供することができる。
【００９６】
（１０）侵入者検出部１０５ｄでは、位置特定処理によって特定された各園児の所在位置と、ビデオカメラ１０４の撮影映像とに基づいて、侵入者を検出することとした。このようにしたので、侵入者を容易に検出することができる。
【００９７】
（１１）あるいは、施設内における生体反応を検出する生体反応検出センサを設置して、位置特定処理によって特定された各園児の所在位置と、その生体反応検出センサの検出結果とに基づいて、侵入者を検出することもできる。このようにしても、侵入者を容易に検出することができる。
【００９８】
（１２）ＩＣタグ１０１から送信されるタグ情報に基づいて、そのＩＣタグ１０１が予め登録されたものであるか否かを判定し（ステップＳ４０５）、予め登録されたものではないと判定されたＩＣタグ１０１を所持する人物を、施設への侵入者としてさらに検出することとした。このようにしたので、既卒園者や不正にＩＣタグ１０１を入手した人物などを施設への侵入者として検出することができる。
【００９９】
（１３）ステップＳ４０４またはＳ４０５によって侵入者が検出されたときには警告を行う（ステップＳ４０７、Ｓ４０８）こととしたので、施設の管理者や保育士が迅速に状況を確認することができる。
【０１００】
（１４）監視部１０５ｃが行う監視処理により、施設内にいる各園児について滞留時間を算出し（ステップＳ３０２）、算出された各園児の滞留時間に基づいて、施設内にいる園児のいずれかを警告対象に設定して（ステップＳ３０５）、その警告対象園児について、記録装置１０８に記録された当該園児の撮影画像を表示して警告を行う（ステップＳ３０７、Ｓ３０８）こととした。このようにしたので、施設内にいる人物を撮影して施設内の安全を監視する施設監視システムに適用したときに、使い勝手の良いシステムを提供することができる。
【０１０１】
（１５）施設内における各園児の所在位置を特定し（ステップＳ１０３）、その情報を記録装置１０８に記録しておく（ステップＳ１０４）。ステップＳ３０２では、こうして特定されて記録された各園児の所在位置に基づいて、各園児の滞留時間を算出することとした。このようにしたので、各園児の滞留時間を正確に算出することができる。
【０１０２】
（１６）施設内に複数のＩＣタグ受信機１０２を設置しておき、ステップＳ１０３では、このＩＣタグ受信機１０２により受信された園児が所持するＩＣタグ１０１のタグ情報と、そのタグ情報を受信したＩＣタグ受信機１０２の設置位置とに基づいて、施設内における各園児の所在位置を特定することとした。このようにしたので、各園児の所在位置を精度よく求めることができる。
【０１０３】
（１７）各園児の滞留時間に対するしきい値として所定の警告開始時間を設定し（ステップＳ３０３）、いずれかの園児についてステップＳ３０２で算出された滞留時間がステップＳ３０３で設定された警告開始時間を超えたときに（ステップＳ３０４）、その園児をステップＳ３０５において警告対象園児に設定することとした。このようにしたので、警告対象とする園児を的確に設定することができる。
【０１０４】
（１８）ステップＳ３０３で警告開始時間を設定する際には、施設内で各園児が留まっている位置ごとに警告開始時間を異なる値で設定することとした。このようにしたので、施設内の場所ごとに想定される園児の行動内容に応じて、適切な値により警告開始時間を設定することができる。
【０１０５】
（１９）警告対象に設定された園児についてステップＳ３０７およびＳ３０８により警告が行われた場合、その警告対象園児の撮影画像を添付した電子メール（トラブル発生通知メール）を、当該警告対象園児と対応付けて予め登録されたメールアドレスに送信する（ステップＳ３１１）こととした。このようにしたので、各園児の保護者は自分の子供に何らかのトラブルが発生したこと、およびそのトラブル時の状況を、配信された電子メールによって確認することができる。
【０１０６】
（２０）警告が解除されない場合（ステップＳ３０９）、所定の通知サイクル時間が経過したか否かを判定し（ステップＳ３１０）、この通知サイクル時間が経過したときにステップＳ３１１を実行する。これにより、警告が所定時間以上解除されない場合にのみ、ステップＳ３１１においてトラブル発生通知メールを保護者へ送信することとした。このようにしたので、不必要にトラブル発生を通知する電子メールを送信して保護者に無用な心配をかけることを防止できる。
【０１０７】
なお、上記の実施の形態では、幼稚園や保育園の託児施設において、その施設に預けられている園児を撮影して施設内にいる園児の安全を監視する施設監視システムを例に説明したが、これ以外の場合にも適用することができる。たとえば、学校における児童、生徒、学生などの安全監視や、老人ホームなどの介護施設における入居者の安全監視、病院における入院患者の安全監視などにも適用することができる。その場合、たとえば老人ホームでは施設内にいる人物（老人）は動きが遅いため、撮影開始時間や警告開始時間を比較的長く設定することが好ましい。また、病院では昼間は見舞い客や外来患者など入院患者以外の人物も多く訪れるため、夜間のみ運用することとしてもよい。これ以外にも、様々な施設においてその施設内にいる人物を撮影してその施設内の安全を監視するシステムに適用することができる。
【０１０８】
以上説明した各実施の形態や各種の変形例はあくまで一例であり、発明の特徴が損なわれない限り、本発明はこれらの内容に限定されない。
【０１０９】
上記の実施の形態では、送信手段をＩＣタグ１０１、受信手段をＩＣタグ受信機１０２、位置特定手段を位置特定部１０５ａ、記録手段を記録装置１０８によりそれぞれ実現した。また、滞留時間算出手段をステップＳ３０２、しきい値設定手段をステップＳ３０３、警告対象設定手段をステップＳ３０５、警告手段をステップＳ３０７およびＳ３０８、メール送信手段をステップＳ３１１の処理によってそれぞれ実現することとした。しかし、これはあくまで一例であり、発明を解釈する際、上記の実施形態の記載事項と特許請求の範囲の記載事項の対応関係には何ら限定も拘束もされない。
【図面の簡単な説明】
【０１１０】
【図１】本発明の一実施の形態による施設監視システムのブロック図である。
【図２】ＩＣタグ受信機の設置例を示す図である。
【図３】位置特定処理において実行される処理のフローチャートである。
【図４】撮影制御処理において実行される処理のフローチャートである。
【図５】監視処理において実行される処理のフローチャートである。
【図６】侵入者検出処理において実行される処理のフローチャートである。
【図７】アクセス制御処理において実行される処理のフローチャートである。
【図８】アクセス制御処理において実行される処理のフローチャートの変形例を示す図である。
【図９】メール配信処理において実行される処理のフローチャートである。
【図１０】パーソナルコンピュータにおいて表示されたログインページの画面例を示す図である。
【図１１】パーソナルコンピュータにおいて表示された選択ページの画面例を示す図である。
【図１２】パーソナルコンピュータにおいて表示された最新画像ページの画面例を示す図である。
【図１３】パーソナルコンピュータにおいて表示された警告ページの画面例を示す図である。
【符号の説明】
【０１１１】
１００：施設監視システム            １０１：ＩＣタグ
１０２：ＩＣタグ受信機              １０３：カメラ
１０４：ビデオカメラ                １０５：制御装置
１０６：モニタ                      １０７：監視用携帯端末
１０８：記録装置                    ２００：公衆回線網
３００：パーソナルコンピュータ      ４００：携帯電話
【図１】
2008040738.tif 000003
【図２】
2008040738.tif 000004
【図３】
2008040738.tif 000005
【図４】
2008040738.tif 000006
【図５】
2008040738.tif 000007
【図６】
2008040738.tif 000008
【図７】
2008040738.tif 000009
【図８】
2008040738.tif 000010
【図９】
2008040738.tif 000011
【図１０】
2008040738.tif 000012
【図１１】
2008040738.tif 000013
【図１２】
2008040738.tif 000014
【図１３】
2008040738.tif 000015